(57)【特許請求の範囲】
【請求項１】
生活習慣病について治療中の患者が運動をしていない通常時に感じる倦怠感、睡眠障害および抑うつ症状の少なくとも１つの度合いを含む通常時主観指標情報を入力する第１指標情報入力部と、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力部と、
上記第１指標情報入力部および上記第２指標情報入力部により入力された複数の指標情報に基づいて、上記生活習慣病を治療中の患者に対する運動強度を設定する運動強度設定部とを備え、
上記運動強度設定部は、上記第２指標情報入力部により入力された上記客観指標情報に基づいて上記運動強度を初期設定するとともに、その後における生活習慣病の治療中に、上記第２指標情報入力部により入力された上記客観指標情報に基づいて上記運動強度を調整することの必要性を判定し、上記運動強度の調整が必要と判定された場合に、上記第１指標情報入力部により入力された主観指標情報に基づいて上記運動強度を調整する
ことを特徴とする運動習慣定着支援システム。
【請求項２】
上記運動強度設定部は、上記第２指標情報入力部により入力された上記客観指標情報に基づいて上記運動強度を初期設定するとともに、その後における生活習慣病の治療中に、上記第１指標情報入力部により入力された上記通常時主観指標情報に基づいて上記運動強度を調整することを特徴とする請求項１に記載の運動習慣定着支援システム。
【請求項３】
上記第１指標情報入力部は、上記通常時主観指標情報と、運動時に患者が感じる運動の辛さに関する運動時主観指標情報とを入力し、
上記運動強度設定部は、上記運動強度の初期設定後における生活習慣病の治療中に、上記第１指標情報入力部により入力された上記通常時主観指標情報および上記運動時主観指標情報に基づいて上記運動強度を調整する
ことを特徴とする請求項２に記載の運動習慣定着支援システム。
【請求項４】
生活習慣病について治療中の患者が運動をしていない通常時に感じる倦怠感、睡眠障害および抑うつ症状の少なくとも１つの度合いを含む通常時主観指標情報を入力する第１指標情報入力部と、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力部と、
上記第１指標情報入力部および上記第２指標情報入力部により入力された複数の指標情報に基づいて、上記生活習慣病を治療中の患者に対する運動強度を設定する運動強度設定部とを備え、
上記運動強度設定部は、上記第２指標情報入力部により入力された上記客観指標情報に基づいて上記運動強度を初期設定するとともに、その後における生活習慣病の治療中に、上記第１指標情報入力部により入力された上記通常時主観指標情報に基づいて上記運動強度を調整することの必要性を判定し、上記運動強度の調整が必要と判定された場合に、上記第２指標情報入力部により入力された上記客観指標情報に基づいて上記運動強度を調整する
ことを特徴とする運動習慣定着支援システム。
【請求項５】
上記第１指標情報入力部は、上記通常時主観指標情報と、運動時に患者が感じる運動の辛さに関する運動時主観指標情報とを入力し、
上記運動強度設定部は、上記運動強度の初期設定後における生活習慣病の治療中に、上記第１指標情報入力部により入力された上記通常時主観指標情報および上記運動時主観指標情報に基づいて上記運動強度を調整することの必要性を判定する
ことを特徴とする請求項４に記載の運動習慣定着支援システム。
【請求項６】
生活習慣病について治療中の患者が運動をしていない通常時に感じる倦怠感、睡眠障害および抑うつ症状の少なくとも１つの度合いを含む通常時主観指標情報を入力する第１指標情報入力部と、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力部と、
上記第１指標情報入力部および上記第２指標情報入力部により入力された複数の指標情報に基づいて、上記生活習慣病を治療中の患者に対する運動強度を設定する運動強度設定部とを備え、
上記運動強度設定部は、上記第１指標情報入力部により入力された上記通常時主観指標情報に基づいて上記運動強度を初期設定するとともに、その後における生活習慣病の治療中に、上記第２指標情報入力部により入力された上記客観指標情報に基づいて上記運動強度を調整する
ことを特徴とする運動習慣定着支援システム。
【請求項７】
生活習慣病について治療中の患者が運動をしていない通常時に感じる倦怠感、睡眠障害および抑うつ症状の少なくとも１つの度合いを含む通常時主観指標情報を入力する第１指標情報入力手段、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力手段、および
上記第１指標情報入力手段および上記第２指標情報入力手段により入力された複数の指標情報に基づいて、上記生活習慣病を治療中の患者に対する運動強度を設定する運動強度設定手段
としてコンピュータを機能させ、
上記運動強度設定手段が、上記第２指標情報入力手段により入力された上記客観指標情報に基づいて上記運動強度を初期設定するとともに、その後における生活習慣病の治療中に、上記第２指標情報入力手段により入力された上記客観指標情報に基づいて上記運動強度を調整することの必要性を判定し、上記運動強度の調整が必要と判定された場合に、上記第１指標情報入力手段により入力された主観指標情報に基づいて上記運動強度を調整する
運動習慣定着支援用プログラム。
【請求項８】
生活習慣病について治療中の患者が運動をしていない通常時に感じる倦怠感、睡眠障害および抑うつ症状の少なくとも１つの度合いを含む通常時主観指標情報を入力する第１指標情報入力手段、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力手段、および
上記第１指標情報入力手段および上記第２指標情報入力手段により入力された複数の指標情報に基づいて、上記生活習慣病を治療中の患者に対する運動強度を設定する運動強度設定手段
としてコンピュータを機能させ、
上記運動強度設定手段が、上記第２指標情報入力手段により入力された上記客観指標情報に基づいて上記運動強度を初期設定するとともに、その後における生活習慣病の治療中に、上記第１指標情報入力手段により入力された上記通常時主観指標情報に基づいて上記運動強度を調整することの必要性を判定し、上記運動強度の調整が必要と判定された場合に、上記第２指標情報入力手段により入力された上記客観指標情報に基づいて上記運動強度を調整する
運動習慣定着支援用プログラム。
【請求項９】
生活習慣病について治療中の患者が運動をしていない通常時に感じる倦怠感、睡眠障害および抑うつ症状の少なくとも１つの度合いを含む通常時主観指標情報を入力する第１指標情報入力手段、
上記通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力手段、および
上記第１指標情報入力手段および上記第２指標情報入力手段により入力された複数の指標情報に基づいて、上記生活習慣病を治療中の患者に対する運動強度を設定する運動強度設定手段
としてコンピュータを機能させ、
上記運動強度設定手段が、上記第１指標情報入力手段により入力された上記通常時主観指標情報に基づいて上記運動強度を初期設定するとともに、その後における生活習慣病の治療中に、上記第２指標情報入力手段により入力された上記客観指標情報に基づいて上記運動強度を調整する
運動習慣定着支援用プログラム。
【発明の詳細な説明】
【技術分野】
【０００１】
本発明は、運動習慣定着支援システムおよび運動習慣定着支援用プログラムに関し、特に、運動を継続することによる生活習慣の改善を支援するシステムに用いて好適なものである。
【背景技術】
【０００２】
生活習慣病は、偏った食事・運動不足・飲酒・喫煙・ストレスなどが長期に渡り続くことによって引き起こされる。高脂血症・高血圧・糖尿病などが生活習慣病の典型である。最近では、がんの多くも、不良な生活習慣を原因とする生活習慣病であり、年齢とともに発症のリスクが高まることが知られている。【０００３】
生活習慣病は、長期に渡る食生活や運動習慣の不摂生が原因であるため、予防・改善するためには、食生活や運動習慣の内容を長期間に渡って記録し、その内容を検討する必要がある。また、これらの記録を医者等の医療関係者に報告し、助言や指導を受ける必要もある。最近では、生活習慣の改善により、がんの進行が抑えられ、がんの腫瘍が小さくなるといった症例もいくつか報告されている。【０００４】
これに対し、生活習慣の改善を支援する装置やシステムが提案されている（例えば、特許文献１参照）。特許文献１には、運動の種類および内容、運動時間、運動量（重量×移動距離など）、運動の質、歩数、移動量、体動量、心拍変動、姿勢、加速度、運動を開始した時刻および終了した時刻、運動を行った場所、温度、湿度、指導者の有無、運動に使用した装置、運動を行った前後の発汗量、血圧、血糖値の変動といった運動データの履歴情報に基づいて、運動をがん予防・改善という目的に向けての最適値により近づけるためのアドバイスを選択して出力するシステムが開示されている。【０００５】
特許文献１に記載のシステムにより提供される運動に対するアドバイスは、例えば、「今日の食事だとあと３０分で眠くなるので軽く散歩しましょう」「今日は天気がいいのでひと駅歩きませんか？」「今日は雨ですね、地下道を歩いてみませんか？」「今日は自由時間がありますね、近所の観光案内をしますよ」「今日は葛西臨海公園がすいています。水族館と公園の散歩はいかがですか」「お子様に縄跳びの練習をしてあげませんか？」「今日はスポーツジムでウエイトトレーニング練習会があります。参加しましょう！」などである。【０００６】
ここで、生活習慣病の疾患を持った患者が運動を続けるに当たり、どの程度の運動負荷をかけるのかが課題の１つとして挙げられる。運動負荷が小さ過ぎると生活習慣病の改善効果が期待できなくなる一方、運動負荷が大き過ぎると患者が運動を継続できなくなる、または運動を継続するモチベーションを失ってしまう可能性が生じるためである。【０００７】
なお、適切な運動強度を設定することを支援するシステムも知られている（例えば、特許文献２，３参照）。特許文献２には、トレーニングの結果や実施時の心拍数、主観的な疲労度合いを考慮してトレーニングメニューや運動強度を設定することが開示されている。特許文献３には、最大酸素摂取量や心拍数等の客観的運動強度と、被測定者が感じる運動のきつさの度合いを示す主観的運動強度とを用いて、あらかじめ設定した目標運動強度に近づけるように運動負荷を調整することが開示されている。【０００８】
しかしながら、特許文献２，３に記載のシステムは、健常者に対して適切な運動負荷をかけていくことを目的としたヘルスケア分野に関するものである。これに対し、生活習慣病を治療中の患者の場合は、運動を行っていない通常時でも倦怠感や睡眠障害などの自覚症状を訴える場合が多く、健常者と同様の方法によって運動強度を調整することは適切でない。【０００９】
【特許文献１】特開２０１９−６７４４７号公報
【特許文献２】特許第６７２５７３１号公報
【特許文献３】特開２０１６−３２５２７号公報
【発明の概要】
【発明が解決しようとする課題】
【００１０】
本発明は、このような問題を解決するために成されたものであり、運動の継続によって生活習慣病を治療中の患者にとって適切な運動強度を設定できるようにすることを目的とする。
【課題を解決するための手段】
【００１１】
上記した課題を解決するために、本発明では、運動をしていない通常時に患者が感じる倦怠感、睡眠障害および抑うつ症状の少なくとも１つの度合いを含む通常時主観指標情報を入力する第１指標情報入力部と、通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力部と、第１指標情報入力部および第２指標情報入力部により入力された複数の指標情報に基づいて、運動強度を設定する運動強度設定部とを備える。
【発明の効果】
【００１２】
上記のように構成した本発明によれば、運動時の客観指標情報と運動時の主観的指標情報とを利用して運動強度を設定するヘルスケア分野の従来技術とは異なり、患者の通常時の主観指標情報と、通常時の客観指標情報および運動時の客観指標情報の少なくとも１つを含む客観指標情報とに基づいて運動強度が設定される。このため、運動を行っていない通常時でも倦怠感や睡眠障害などの自覚症状を訴える場合が多い患者の自覚症状を考慮して運動強度を設定することができ、運動の継続によって生活習慣病を治療中の患者にとって適切な運動強度を設定することが可能である。
【図面の簡単な説明】
【００１３】
【図１】本実施形態による運動習慣定着支援システムの全体構成例を示す図である。
【図２】本実施形態による患者端末の機能構成例を示すブロック図である。
【図３】本実施形態による倦怠感入力画面の一例を示す図である。
【図４】運動強度が異なる複数の運動プログラムの例を示す模式図である。
【図５】本実施形態による運動辛さ入力画面の一例を示す図である。
【発明を実施するための形態】
【００１４】
以下、本発明の一実施形態を図面に基づいて説明する。図１は、本実施形態による運動習慣定着支援システムの全体構成例を示す図である。図１に示すように、本実施形態の運動習慣定着支援システムは、患者端末１００および測定機器２００を備えて構成され、これらが例えばＢｌｕｅｔｏｏｔｈ（登録商標）などの無線通信手段によって無線接続される。
【００１５】
患者端末１００は、例えばスマートフォン、タブレットまたはパーソナルコンピュータにより構成され、運動習慣定着支援用プログラム（以下、運動支援アプリという）がインストールされている。運動支援アプリは、測定機器２００で測定された情報を無線通信を介して取得し、取得した情報を用いて以下に述べる処理を行うことにより、患者の運動習慣の定着を支援する。
【００１６】
測定機器２００は、患者の生体情報を測定する機能を有するものである。例えば、測定機器２００は、腕時計型のウェアラブル端末（いわゆるスマートウォッチ）であり、患者の心拍数を測定する機能を有する。本実施形態では、測定機器２００により安静時に測定される心拍数（安静時心拍数）と、測定機器２００により運動時に測定される心拍数（運動時心拍数）とを用いる。
【００１７】
図２は、患者端末１００の機能構成例を示すブロック図である。図２に示すように、患者端末１００は、機能構成として、第１指標情報入力部１１、第２指標情報入力部１２および運動強度設定部１３を備える。これらの機能ブロック１１〜１３は、運動支援アプリにより構成される。実際には、各機能ブロック１１〜１３は、患者端末１００が備えるコンピュータのＣＰＵ、ＲＡＭ、ＲＯＭなどを備えて構成され、ＲＡＭやＲＯＭ、ハードディスクまたは半導体メモリ等の記憶媒体に記憶された運動支援アプリが動作することによって実現される。
【００１８】
第１指標情報入力部１１は、運動をしていない通常時における患者の通常時主観指標情報を入力する。本実施形態では、通常時主観指標情報の一例として、通常時に患者が感じる倦怠感の度合いを示す情報を入力する。倦怠感とは、いつもの生活が送りづらいと感じるといった疲れた感覚のことである。倦怠感は、疾患に伴う症状（痛み、貧血、不安、不眠）や、疾患に対する治療の副作用などによって起こる。倦怠感の度合いを示す情報とは、例えば倦怠感の強さを示す情報である。
【００１９】
一例として、第１指標情報入力部１１は、患者端末１００のディスプレイに倦怠感入力画面を表示させ、当該倦怠感入力画面に対する患者の操作を通じて、倦怠感を示す情報を入力する。例えば、倦怠感の強さに関して複数の状態を倦怠感入力画面に表示し、その中から該当するものを患者に選択してもらうようにする。
【００２０】
図３は、倦怠感入力画面の一例を示す図である。図３の例では、倦怠感の強さに関して３つの状態が示されており、上にあるものほど倦怠感が強い状態を示している。患者は、３つの中から自分の状態に最も近いものを選んでチェックし、確定ボタンを押すことにより、倦怠感を示す情報を患者端末１００に入力する。
【００２１】
第２指標情報入力部１２は、運動をしていない通常時における患者の身体機能に関する通常時客観指標情報と、運動時における患者の身体機能に関する運動時客観指標情報との少なくとも１つを含む客観指標情報を入力する。ここで、通常時における患者の身体機能に関する通常時客観指標情報は、例えば、測定機器２００から入力される安静時心拍数である。運動時における患者の身体機能に関する運動時客観指標情報は、例えば、測定機器２００から入力される運動時心拍数である。
【００２２】
運動強度設定部１３は、第１指標情報入力部１１および第２指標情報入力部１２により入力された複数の指標情報に基づいて、運動強度を設定する。例えば、運動強度設定部１３は、患者に対して提供する運動プログラムとして、運動強度が異なる複数の運動プログラムを用意しており、入力された複数の指標情報に基づいて、何れかの運動強度の運動プログラムを設定して患者に提示する。
【００２３】
複数の運動プログラムは、それぞれ複数週間にわたって運動を実施するプログラムであり、１週間ごとに運動強度が少しずつ上がっていく内容になっている。図４は、運動強度が異なる複数の運動プログラムの例を示す模式図である。図４では、７つの運動プログラムＰ１〜Ｐ７を示している。何れも６週間にわたって実施するプログラムであり、１週間ごとに運動強度が少しずつ上がっていく内容になっている。
【００２４】
運動強度設定部１３は、一例として、第２指標情報入力部１２により入力された客観指標情報に基づいて運動強度を初期設定する（図４に示す７つの運動プログラムの中から何れか１つを設定する）とともに、その後における生活習慣病の治療中に、第１指標情報入力部１１により入力される主観指標情報に基づいて運動強度を調整する。
【００２５】
運動強度を初期設定する際に、運動強度設定部１３は、例えば、通常時客観指標情報（安静時心拍数）と運動時客観指標情報（運動時心拍数）とを用いて、予測的最大心拍数による運動強度（％ＨＨＲ）を以下のように計算し、この％ＨＨＲの値に基づいて何れかの運動プログラムを設定する。
％ＨＨＲ＝（運動時最高心拍数−安静時心拍数）／（ＨＨＲ−安静時心拍数）×１００
ここで、ＨＨＲ（推定最高心拍数）＝２２０−年齢
【００２６】
なお、ここでは％ＨＨＲを算出して運動強度を初期設定する例について説明したが、これに限定されない。例えば、通常時客観指標情報（安静時心拍数）のみに基づいて運動強度を初期設定するようにしてもよいし、運動時客観指標情報（運動時心拍数）のみに基づいて運動強度を初期設定するようにしてもよい。
【００２７】
以上のようにして運動強度を初期設定した後、運動強度設定部１３は、第１指標情報入力部１１により入力される主観指標情報に基づいて、必要に応じて運動強度を調整する。一例として、運動強度設定部１３は、通常時主観指標情報（倦怠感の度合いを示す情報）に基づいて運動強度を調整する。運動強度の調整は、例えば運動プログラムの変更によって行う。
【００２８】
例えば、図３のように倦怠感の強さに関して示された３つの状態のうち、最も強い倦怠感の状態が入力された場合、運動強度設定部１３は、現在設定中の運動強度を２段階落とす。また、２番目に強い倦怠感の状態が入力された場合、運動強度設定部１３は、現在設定中の運動強度を１段階落とす。一方、最も弱い倦怠感の状態が入力された場合、運動強度設定部１３は、現在設定されている運動強度を維持する。
【００２９】
運動強度の調整は、例えば１週間ごとに行う。図４には、第３週目の始めに運動強度を１段階落とした例Ｄ１（運動プログラムＰ４を、それよりも運動強度が１段階低い運動プログラムＰ３に変更した例）と、第５週目の始めに運動強度を２段階落とした例Ｄ２（運動プログラムＰ６を、それよりも運動強度が２段階低い運動プログラムＰ４に変更した例）とが示されている。
【００３０】
以上詳しく説明したように、本実施形態によれば、運動時の客観指標情報と運動時の主観的指標値とを利用して運動強度を設定するヘルスケア分野の従来技術とは異なり、患者の通常時の主観指標情報（倦怠感の度合いを示す情報）と、通常時の客観指標情報および運動時の客観指標情報の少なくとも１つを含む客観指標情報とに基づいて運動強度が設定される。このため、運動を行っていない通常時でも倦怠感を訴える場合が多い患者の自覚症状を考慮して運動強度を設定することができ、運動を継続することによって生活習慣病を治療中の患者にとって適切な運動強度を設定することが可能である。
【００３１】
なお、上記実施形態では、運動をしていない通常時における患者の客観指標情報として、患者の身体機能に関する指標情報、具体的には、測定機器２００から入力される安静時心拍数を用いる例について説明したが、本発明はこれに限定されない。例えば、患者の身体機能に関する指標情報として、脚筋力、６分間歩行距離、歩行速度、イス立ち上がりテスト、握力、Timed-up＆goテスト、２ステップテスト、ファンクショナルリーチテスト、体組成、認知機能検査、栄養状態（食事等）に関する情報を用いてもよい。
【００３２】
また、第２指標情報入力部１２は、患者の通常時客観指標情報として、上述した患者の身体機能に関する指標情報に代えて、医師による診断結果または治療内容の何れかに関する指標情報を入力するようにしてもよい。あるいは、患者の身体機能、医師による診断結果および治療内容の何れか２つまたは３つの情報を入力するようにしてもよい。複数の情報を入力するようにした場合、例えば、それら入力した情報を用いて所定の関数によりスコアを算出し、当該スコアを通常時客観指標情報として用いるようにしてもよい。
【００３３】
ここで、医師による診断結果に関する通常時客観指標情報は、例えば症状の重さまたは栄養状態（食事等）の悪さに関する情報である。一例としてがん患者の場合、がんの進行度に応じて分類されるステージ（０〜４までの５段階）を示す情報である。または、腎機能や肝機能に関して医師が診断した結果を示す情報であってもよい。治療内容に関する通常時客観指標情報は、例えば化学療法（薬物療法）の内容を示す情報である。どのような薬物をどの程度の量または頻度で投与するか等によって、患者に与える身体的または精神的な負担が変わる。運動強度設定部１３は、これらの通常時客観指標情報に基づいて、運動強度を初期設定するようにしてもよい。
【００３４】
また、上記実施形態では、運動をしていない通常時における患者の主観指標情報として、倦怠感の度合いを示す情報を入力する例について説明したが、本発明はこれに限定されない。例えば、第１指標情報入力部１１は、患者の通常時主観指標情報として、通常時に患者が感じる睡眠障害または抑うつ症状の何れかの度合いに関する情報を入力するようにしてもよい。あるいは、倦怠感、睡眠障害および抑うつ症状の何れか２つまたは３つの度合いに関する情報を入力するようにしてもよい。複数の情報を入力するようにした場合、例えば、それら入力した情報を用いて所定の関数によりスコアを算出し、当該スコアを通常時主観指標情報として用いるようにしてもよい。運動強度設定部１３は、これらの通常時主観指標情報に基づいて、運動強度を調整するようにしてもよい。
【００３５】
また、上記実施形態では、通常時主観指標情報（倦怠感の度合いを示す情報）に基づいて運動強度を下げる方向にのみ調整する例について説明したが、本発明はこれに限定されない。例えば、通常時主観指標情報に基づいて運動強度を下げる方向および上げる方向の両方に対して調整するようにしてもよい。例えば、患者が１週間ごとに入力した倦怠感を示す情報によって、前週よりも倦怠感が改善されてきたことが示されている場合には運動強度を強くする方向に調整する一方、前週よりも倦怠感が悪化してきたことが示されている場合には運動強度を弱くする方向に調整するようにしてもよい。このとき、倦怠感の変化度合いに応じて運動強度の増減度合いを調整するようにしてもよい（倦怠感の変化度合いが閾値より小さい場合は１段階のみ強度を変え、倦怠感の変化度合いが閾値より大きい場合は運動強度を２段階変えるなど）。
【００３６】
また、上記実施形態では、運動をしていない通常時における患者の通常時主観指標情報（倦怠感の度合いを示す情報）に基づいて、初期設定後の運動強度を調整する例について説明したが、本発明はこれに限定されない。例えば、当該通常時主観指標情報と、運動時に患者が感じる運動の辛さに関する運動時主観指標情報とに基づいて、初期設定後の運動強度を調整するようにしてもよい。
【００３７】
この場合、第１指標情報入力部１１は、通常時主観指標情報と運動時主観指標情報とを入力する。運動時に患者が感じる運動の辛さに関する運動時主観指標情報は、例えば、患者端末１００のディスプレイに運動辛さ入力画面を表示させ、当該運動辛さ入力画面に対する患者の操作を通じて入力される情報である。例えば、第１指標情報入力部１１は、運動の辛さに関して複数の状態を運動辛さ入力画面に表示し、その中から該当するものを患者に選択してもらうようにする。
【００３８】
図５は、運動辛さ入力画面の一例を示す図である。図５の例では、運動の辛さに関して７つの状態が示されており、上にあるものほど運動が辛い状態を示している。患者は、運動時に７つの中から自分の状態に最も近いものを選んでチェックし、確定ボタンを押すことにより、運動の辛さを示す情報を患者端末１００に入力する。
【００３９】
運動強度設定部１３は、図３に示す倦怠感入力画面を通じて入力された通常時主観指標情報と、図５に示す運動辛さ入力画面を通じて入力された運動時主観指標情報とに基づいて、例えば次週以降の運動強度を調整する。調整方法の一例として、通常時主観指標情報と運動時主観指標情報とを用いて所定の関数によりスコアを算出し、当該スコアに基づいて、初期設定後の運動強度を調整するようにすることが考えられる。
【００４０】
別の例として、通常時主観指標情報に基づいて運動強度の増減幅を仮決定するとともに、運動時主観指標情報に基づいて運動強度の増減幅を仮決定し、仮決定した２つの増減幅を加味して最終的な増減幅を決定するようにしてもよい。例えば、両方とも運動強度を上げる方向または下げる方向で一致している場合は、増減幅の大きい方を採用する一方、増減の方向が一致していない場合は両方の増減幅を相殺するようにする（例えば、通常時主観指標情報に基づく運動強度の増減幅が２段階ダウンで、運動時主観指標情報に基づく運動強度の増減幅が１段階アップの場合は、運動強度の増減幅を１段階ダウンとするなど）。
【００４１】
なお、図５に示す運動辛さ入力画面を通じて入力された７段階の運動の辛さに関する情報に基づいて運動強度の増減幅を仮決定する際、例えば以下のようにすることが可能である。図５の運動辛さ入力画面において、最も辛い状態が入力された場合は、現在設定中の運動強度を２段階落とす。また、２番目および３番目に辛い状態が入力された場合は、現在設定中の運動強度を１段階落とす。また、最も楽な状態が入力された場合は、現在設定中の運動強度を２段階上げる。また、２番目および３番目に楽な状態が入力された場合は、現在設定中の運動強度を１段階上げる。ただし、これは一例に過ぎない。例えば、１週間ごとに入力される運動の辛さの変化度合いに応じて運動強度の増減度合いを調整するようにしてもよい。
【００４２】
また、上記実施形態では、第２指標情報入力部１２により入力される客観指標情報（通常時客観指標情報、運動時客観指標情報）は、運動強度を初期設定するときにのみ使用しているが、本発明はこれに限定されない。例えば、運動強度設定部１３は、第２指標情報入力部１２により入力された客観指標情報（例えば、医師による診断結果または治療内容など）に基づいて運動強度を初期設定するとともに、その後における生活習慣病の治療中に、第２指標情報入力部１２により入力された客観指標情報（例えば、％ＨＨＲなど）に基づいて運動強度を調整することの必要性を判定し、運動強度の調整が必要と判定された場合に、第１指標情報入力部１１により入力された主観指標情報に基づいて運動強度を調整するようにしてもよい。
【００４３】
この方法によれば、運動強度の初期設定後における生活習慣病の治療中においても、患者の主観指標情報と客観指標情報とを併用して運動強度を調整するので、運動強度をより適切に調整することが可能である。この方法では、生活習慣病の治療を通じて症状が改善または悪化していることが％ＨＨＲによって示唆されている場合、または、症状が改善されていないことが％ＨＨＲによって示唆されている場合などに、患者の倦怠感などを示す通常時主観指標情報や、運動時の辛さなどを示す運動時主観指標情報に基づいて、運動強度を適切に調整することができる。
【００４４】
あるいは、運動強度設定部１３は、第２指標情報入力部１２により入力された客観指標情報（例えば、医師による診断結果または治療内容など）に基づいて運動強度を初期設定するとともに、その後における生活習慣病の治療中に、第１指標情報入力部１１により入力された主観指標情報に基づいて運動強度を調整することの必要性を判定し、運動強度の調整が必要と判定された場合に、第２指標情報入力部１２により入力された客観指標情報（例えば、％ＨＨＲなど）に基づいて運動強度を調整するようにしてもよい。
【００４５】
この方法においても、運動強度の初期設定後における生活習慣病の治療中において、患者の主観指標情報と客観指標情報とを併用して運動強度を調整するので、運動強度をより適切に調整することが可能である。この方法によれば、生活習慣病の治療中に、患者の倦怠感や睡眠障害、抑うつ症状などが改善または悪化してきている場合、または、症状が改善されていないことが％ＨＨＲによって示唆されている場合などに、％ＨＨＲなどの客観指標情報に基づいて、運動強度を適切に調整することができる。
【００４６】
また、上記実施形態では、客観指標情報に基づいて運動強度を初期設定した後に、主観指標情報に基づいて運動強度を調整する例について説明したが、これと逆にしてもよい。すなわち、運動強度設定部１３は、第１指標情報入力部１１により入力された通常時主観指標情報に基づいて運動強度を初期設定するとともに、その後における生活習慣病の治療中に、第２指標情報入力部１２により入力された客観指標情報に基づいて運動強度を調整するようにしてもよい。
【００４７】
また、上記実施形態では、患者端末１００と測定機器２００とを無線接続し、測定機器２００により測定された情報を患者端末１００に無線送信する例について説明したが、これに限定されない。例えば、測定機器２００に表示された情報を患者が目視し、患者が患者端末１００のキーボードやタッチパネル等の入力デバイスを操作して測定情報を入力するようにしてもよい。
【００４８】
また、上記実施形態では、第１指標情報入力部１１、第２指標情報入力部１２および運動強度設定部１３の機能を患者端末１００が備える例について説明したが、本発明はこれに限定されない。例えば、インターネットや携帯電話網などの通信ネットワークに接続されたサーバ装置がこれらの機能を備え、サーバ装置において設定された運動強度の情報を患者端末１００に送信し、患者端末１００に設定するようにしてもよい。あるいは、サーバ装置において設定された運動強度の情報を患者端末１００から閲覧可能にする構成としてもよい。
【００４９】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５０】
１１  第１指標情報入力部
１２  第２指標情報入力部
１３  運動強度設定部
１００  患者端末
２００  測定機器
【要約】
運動をしていない通常時に患者が感じる倦怠感、睡眠障害および抑うつ症状の少なくとも１つの度合いを含む通常時主観指標情報を入力する第１指標情報入力部１１と、通常時における患者の身体機能、医師による診断結果および治療内容の少なくとも１つを含む通常時客観指標情報と、運動時における患者の身体機能に関する運動時客観指標情報との少なくとも１つを含む客観指標情報を入力する第２指標情報入力部１２と、第１指標情報入力部１１および第２指標情報入力部１２により入力された複数の指標情報に基づいて、運動強度を設定する運動強度設定部１３とを備え、運動を行っていない通常時でも倦怠感や睡眠障害などの自覚症状を訴える場合が多い患者の自覚症状を考慮して運動強度を設定することにより、運動の継続によって生活習慣病を治療中の患者にとって適切な運動強度を設定することができるようにする。【図１】
0006975505.tif 000002
【図２】
0006975505.tif 000003
【図３】
0006975505.tif 000004
【図４】
0006975505.tif 000005
【図５】
0006975505.tif 000006